(57)【要約】【課題】比較的に外形の小さな対象物と比較的に外形の大きな対象物とを安定して把持することのできる携帯用グリップの提供。【解決手段】携帯用のグリップ１０，１００は、可撓性のグリップ本体２０とグリップ本体２０に取り付けられたストラップ３０，３００とを含む。グリップ本体２０，２００は、ヒンジ部２３，２３０と、ヒンジ部２３を介して互いに離間・接近可能な第１及び第２可動部２１，２２，２１０，２２０と、グリップ本体２０，２００の内周面に囲まれた第１把持部６１，６１０と、ヒンジ部２３，２３０の内面に位置する第２把持部６２，６２０とを含む。【選択図】図１
2022000364.tif 000002
【特許請求の範囲】
【請求項１】
可撓性のグリップ本体と前記グリップ本体に取り付けられたストラップとを含む携帯用のグリップにおいて、
前記グリップ本体は、ヒンジ部と、前記ヒンジ部を介して互いに離間・接近可能な第１及び第２可動部と、前記グリップ本体の内周面に囲まれた第１把持部と、前記ヒンジ部の内面に位置する第２把持部とを含むことを特徴とするグリップ。
【請求項２】
前記グリップ本体は断面Ｃ字の筒状体に成形される請求項１に記載のグリップ。
【請求項３】
前グリップ本体は、プレート状に成形される請求項１に記載のグリップ。
【請求項４】
前記第２把持部は、前記ヒンジ部の内面において前記横方向へ延びる溝に位置していて、前記溝の両側には、前記溝に沿って延びる隆起部が位置する請求項１に記載のグリップ。
【請求項５】
前記グリップ本体は、抗菌性かつ導電性の突出部分を有する請求項１〜３のいずれかに記載のグリップ。
【請求項６】
ストラップは、装飾要素を有するカバーを有する請求項１〜４のいずれかに記載のグリップ。
【発明の詳細な説明】
【技術分野】
【０００１】
本発明は、携帯用のグリップに関する。
【背景技術】
【０００２】
従来、手に装着することで、鉄道その他の乗り物の吊り革、階段の手摺りを直接触れることなく利用したり、エレベータのボタンやドアノブなどに直接触れることなく操作するための携帯用のグリップは公知である。例えば、特許文献１には、大経部と小径部を交互に有する蛇腹状かつ断面Ｃ字の筒状体からなるグリップ本体を備えた携帯用のグリップが開示されている。
【先行技術文献】
【特許文献】
【０００３】
【特許文献１】特開２０１８−１３１０３４号（Ｐ２０１８−１３１０３４Ａ）
【発明の概要】
【発明が解決しようとする課題】
【０００４】
特許文献１に開示された携帯用のグリップにおいては、筒状からなるグリップ本体内部に吊り革等の対象物を挿入した状態で間接的に把持することができることから、吊り革等の表面に付着した雑菌やウイルス等が直接手に付着することはなく、衛生的に利用することができる。
【０００５】
しかしながら、かかる携帯用のグリップでは、吊り革の外周面よりもグリップ本体の内周面が大きく、その内部で不安定な状態となる。したがって、しっかりと吊り革を間接的に把持することができず、電車内の揺れや混雑時の姿勢の変化によって、吊り革から手が離れてしまうおそれがある。一方で、吊り革のサイズに合わせてグリップ本体を比較的に小さくした場合には、ドアノブやエスカレーターの手摺等の比較的に幅広の対象物を間接的かつ安定して把持することができない。
【０００６】
本発明は、従来の携帯用グリップの改良であって、比較的に外形の小さな対象物と比較的に外形の大きな対象物とを安定して把持することのできる携帯用グリップの提供を課題としている。
【課題を解決するための手段】
【０００７】
上述した課題を解決するために、本発明は、可撓性のグリップ本体と前記グリップ本体に取り付けられたストラップとを含む携帯用のグリップに関する。
【０００８】
本発明に係る携帯用のグリップは、前記グリップ本体は、ヒンジ部と、前記ヒンジ部を介して互いに離間・接近可能な第１及び第２可動部と、前記グリップ本体の内周面に囲まれた第１把持部と、前記ヒンジ部の内面に位置する第２把持部とを含むことを特徴とする。
【０００９】
本発明に係る携帯用のグリップは、以下の実施態様を含む。該実施の態様は、分離して又は互いに組み合わせて採択することができる。
（１）前記グリップ本体は断面Ｃ字の筒状体に成形される。
（２）前グリップ本体は、プレート状に成形される。
（３）前記第２把持部は、前記ヒンジ部の内面において前記横方向へ延びる溝に位置していて、前記溝の両側には、前記溝に沿って延びる隆起部が位置する。
（４）前記グリップ本体は、抗菌性かつ導電性の突出部分を有する。
（５）ストラップは、装飾要素を有するカバーを有する。
【発明の効果】
【００１０】
本発明に係る携帯用グリップによれば、グリップ本体の内周面に囲まれた第１把持部において比較的に大きな対象物を間接的に把持することができるとともに、ヒンジ部の内周面の内面に位置する第２把持部によって比較的に小さな対象物を間接的に把持することができる。
【図面の簡単な説明】
【００１１】
図面は、本発明に係る携帯用のグリップの特定の実施の形態を示し、発明の不可欠な構成ばかりでなく、選択的及び好ましい実施の形態を含む。
【図１】本発明の第１実施形態に係る携帯用のグリップの斜視図。
【図２】携帯用のグリップを第１可動部側から視た側面図。
【図３】携帯用のグリップを第２可動部側から視た側面図。
【図４】携帯用のグリップを内面側から視た平面図。
【図５】グリップ本体の展開平面図。
【図６】（ａ）図４のＶＩ（ａ）−ＶＩ（ａ）線に沿う断面図。（ｂ）第１把持部において、吊り革を把持した場合における、図６（ａ）のＶＩ（ｂ）に沿う拡大断面図。（ｃ）第２把持部において、ドアノブを把持した様子を示す図６（ｂ）と同様の図。
【図７】携帯用のグリップで吊り革を把持した様子を示す図。
【図８】携帯用のグリップでドアノブを把持した様子を示す図。
【図９】突出部分でエレベータのボタンを押す様子を示す図。
【図１０】（ａ）携帯用のグリップでエスカレーターの手摺りを掴んだ様子を示す図。（ｂ）携帯用のグリップでビニール袋を吊持した様子を示す図。
【図１１】第１実施形態の実施例の一例における携帯用のグリップの側面図。
【図１２】第２実施形態に係るグリップ本体の内面側の平面図。
【図１３】グリップの一部破断斜視図。
【図１４】グリップを装着した状態における図。
【図１５】グリップを装着してグリップ本体を変形させた状態における図。
【図１６】（ａ）第２実施形態に係るグリップの図４（ａ）と同様の図。（ｂ）第１把持部において、吊り革を把持した場合における、図１６（ａ）のＸＶＩ（ｂ）で示した拡大断面図。（ｃ）第２把持部において、ドアノブを把持した様子を示す図１６（ｂ）と同様の図。
【図１７】グリップで吊り革を把持した様子を示す図。
【図１８】グリップでドアノブを把持した様子を示す図。
【図１９】グリップの他の装着態様を示す図。
【発明を実施するための形態】
【００１２】
＜第１実施形態＞
下記の実施の形態は、本発明の第１実施形態に係る携帯用のグリップ１０に関し、発明の不可欠な構成ばかりではなく、選択的及び好ましい構成を含む。
【００１３】
図１〜図４を参照すると、本発明の携帯用のグリップ（以下、グリップ）１０の一例として示す、グリップ１０は、互いに交差（直交）する横方向Ｘと上下方向Ｙと、それらに交差（直交）する厚さ方向Ｚとを有し、対象物を間接的に把持するためのグリップ本体２０と、グリップ本体２０に着脱可能に取り付けられたストラップ３０とを備える。
【００１４】
グリップ本体２０は、断面Ｃ字の筒状体に成形されてなり、外面（非肌対向面）２０Ａ及び内面（肌対向面）２０Ｂと、横方向Ｘにおいて互いに対向する第１及び第２端縁２０ａ，２０ｂと、厚さ方向Ｚにおいて対向する第１及び第２側縁２０ｃ，２０ｄとを有する。
【００１５】
グリップ本体２０は、さらに、厚さ方向Ｚにおいて互いに対向する第１及び第２可動部２１，２２と、第１及び第２可動部２１，２２との間に位置して横方向Ｘへ延びるヒンジ部２３とを有する。第１及び第２可動部２１，２２は、ヒンジ部２３を介して互いに接近・離間する方向へ移動可能なものであって、互いに接近することでグリップ本体２０の筒状内部が縮径し、互いに離間することで筒状内部が拡径される。ヒンジ部２３は、外面視において横方向Ｘへ延びる曲状を有する。
【００１６】
具体的には、装着者が一方の手をグリップ本体２０の外面全体を覆うようにグリップ本体２０とストラップ３０との間に差し入れて装着したときに、例えば、第１可動部２１側に親指、第２可動部２２側に中指及び人差し指が位置した状態で手を開いて、厚さ方向Ｚにおいて対向する第１可動部２１の先端２１ａと第２可動部２２の先端２２ａとが互いに離間するときにグリップ本体２０は拡径し、手を閉じるように互いに接近するときに縮径するといえる。先端２１ａ，２２ａどうしが互いに接触した状態において、最も縮径した状態となり、装着者は、グリップ本体２０内に配置された対象物を安定して把持することができる。
【００１７】
グリップ本体２０の大きさは、適宜自由に設計することができるが、装着したときに手の中に納まる大きさであることが好ましい。すなわち、装着した状態で電車内の吊り革７に掴まったときに、グリップ本体２０が露出せずに他の乗客等に視認されないことによって、他人の目を気にすることなく使用することができる。具体的には、一般的な成人の場合、グリップ本体２０の周方向Ｒの寸法は、１００〜１５０ｍｍであることが好ましい。
【００１８】
グリップ本体２０の外面には、装着者の掌のツボを刺激するための指圧部４０が配置される。指圧部４０は、グリップ本体２０の外面から外方へ突出する複数の突起４１を有する。指圧部４０は、グリップ本体２０の外面において、複数の突起４１が横方向Ｘへ互いに間隔を空けるように配置され、かつ、互いに周方向Ｒへ並んで配置された複数列を有する。
【００１９】
装着者は、一方の手でグリップ本体２０の外面２０Ａ全体を周方向Ｒに覆うようにグリップ１０を把持するように装着することで、掌のツボに指圧部４０によって刺激を与えることができる。装着者、グリップ１０を介して対象物を間接的に把持するときに指圧部４０によってツボに強い刺激を与えることができるが、装着した状態であれば、対象物を把持しなくてもツボに一定の刺激を与えることができる。
【００２０】
ストラップ３０は、第１及び第２端部３１，３２と、第１及び第２端部３１，３２間に位置する中間部３３とを有する。第１及び第２端部３１，３２は、環状であって、グリップ本体２０の第１及び第２端縁２０ａ，２０ｂ側の側部の内面に位置する取付部３４に巻回されており、オプションとして一対のバックル３５を介して長さ調整可能及び着脱可能にグリップ本体２０に取り付けられている。
【００２１】
このように、グリップ本体２０のストラップ３０が取り付けられていることによって、装着者がグリップ本体２０を所持するときに不意に落下することを防止することができる。また、吊り革７等の対象物を把持するときに、ストラップ３０が手の甲を被覆し、手がグリップ本体２０とストラップ３０との間に挟まれたような状態となることから、安定して対象物を把持することができる。
【００２２】
さらに、ストラップ３０はグリップ本体２０に長さ調整可能に取り付けられることで装着者の手２の大きさに合わせてその長さを自由に調整することができるとともに、グリップ本体２０に着脱可能に取り付けられていることから、ストラップ３０が汚れたり、一部が破断したときには、すぐに新しいものと交換することができる。
【００２３】
ストラップ３０の中間部３３には、それを巻回するようにカバー３６が取り付けられており、カバー３６の外面には、装飾要素３８が配置されている。図示例では、装飾要素３８の一例として、「ＳＴＡＹ  ＨＯＭＥ」の文字が配置されている。ストラップ３０の装飾要素３８は、印刷加工を施して形成することでき、例えば、企業や公共団体の宣伝広告、キャラクター、各種公知の図形、装飾模様、絵柄、文字、記号、高いメッセージ性のあるデザイン、ストラップ３０及び／またはグリップ本体２０とは、異なる着色部分等を適宜採用することができる。また、暗所において目立つように、蛍光塗料等が塗布されていてもよい。
【００２４】
図３を参照すると、グリップ１０を装着して吊り革７を把持した場合には、ストラップ１０が手の甲を横断するように被覆して装飾要素３８が他の乗車客等の目を惹きつけることができる。装飾要素３８として、例えば、企業のＰＲ用のロゴや宣伝キャッチフレーズを用いることによって、電車やバスの車内において、中吊り広告のように高い宣伝効果を発揮することができる。また、装飾要素３８は、ストラップ３０に直接印刷していてもよいが、ストラップ３０とは別体のバックル３５に印刷することによって、ストラップ３０を交換しなくてもスリーブ３５のみを効果することができる。さらに、装着者の気分によって、または、服装とコーディネートするように装飾要素３８を自由に変更することができる。
【００２５】
グリップ本体２０は、所要の可撓性を有する材料、例えば、硬質又は軟質のプラスチック材料や弾性材料から形成することが好しい。弾性材料としては、例えば、発泡ウレタン、発泡ゴム、軟質ゴム、スポンジ等を用いることができる。このように、グリップ本体２０が可撓性を有することによって、第１及び第２可動部２１，２２がヒンジ部２３を介して接近・離間する方向に移動することができる。
【００２６】
また、グリップ本体２０は、複数の材料を用いて形成してもよい。例えば、第１及び第２可動部２１，２２を硬質又は軟質のプラスチック材料から形成し、ヒンジ部２３を弾性材料から形成することで、第１及び第２可動部２１，２２の可撓性（弾性）をヒンジ部２３のそれよりも低くして手にフィットさせる一方、ヒンジ部２３の可撓性（弾性）を比較的に高くして、第１及び第２可動部２１，２２をより可動しやすくさせることもできる。
【００２７】
ストラップ３０は、不織布や織布、プラスチックフィルム、ゴムひも、織り紐などの各種公知の弾性材料から形成することができる。特に、ゴム紐や織り紐等の所定の幅寸法のある弾性材料であれば、装着者の手２をしっかりと被覆することができるとともに、使用中に不用意に破断することはない。
【００２８】
グリップ本体２０とストラップ３０とには、より衛生的に使用するために、抗抗ウイルス・抗菌加工を施していてもよい。特に、手２に直接触れるグリップ本体２０の外面２０Ａ及びストラップ３０の内面にこれらの加工が施されていることが好ましい。
【００２９】
また、対象物を安定的に把持するために、グリップ本体２０の内周面に摩擦抵抗手段を設けていてもよい。具体的には、ウレタンゴムやシリコンゴム等の摩擦抵抗の比較的に高い材料を貼付したり、シボ加工等の摩擦抵抗を付与する加工を施すことができる。
【００３０】
図２を参照すると、グリップ本体２０の第１端縁２０ａ側の側部には、横方向Ｘの外側に突出する突出部分７０が位置している。突出部分７０は上方に反るように延びており、後記するように、エレベータのボタン９等を間接的に押圧操作するのに利用することができる（図９参照）。
【００３１】
図５は、グリップ本体２０を外面２０Ａから視た展開平面図である。指圧部４０を構成する複数の突起４１は、任意の経路理論に基づいて装着者の掌及び指の位置に合わせて配置されており、高いツボ刺激効果を発揮しうる。指圧部４０は、大小様々な複数の突起４１から構成されており、突起４１の大きさや高さは適宜調整することが可能であって、例えば、最小の突起４１は直径及び高さが１．０〜５．０ｍｍ、最大の突起４２は直径及び高さが３．０〜６．０ｍｍである。最大の突起４２は、手２の親指と人差し指との間に位置する合谷を強く刺激しうるような位置に配置されている。
【００３２】
また、グリップ本体２０の外面２０Ａに５本のうちの複数の指が触れた状態で装着することもできる。具体的には、親指と小指とがグリップ本体２０の外面２０Ａに触れない状態でも装着することができ、かかる装着状態であっても、外面Ａに触れている指のツボを指圧部４０で刺激することができる。また、かかる装着状態を想定して、掌及びすべての指のツボを刺激するように複数の突起４１を配置せずに、掌又は／及び一部の指のツボを刺激するように複数の突起４１を配置してもよい。さらに、指圧部４０は、ツボを刺激する限りにおいて、グリップ本体２０の外面からほとんど突出していない部分（高さが１．０ｍｍ以下）から形成されていてもよい。かかる場合であっても、微弱ながらツボ刺激効果を与えうるといえる。
【００３３】
図４を参照すると、グリップ本体２０の内面２０Ｂには、横方向Ｘへ延びる溝５０が形成されている。具体的には、溝５０は、第１及び第２可動部２１，２２間に位置するヒンジ部２３の内面に形成されたものであって、ヒンジ部２３は、第１及び第２可動部２１，２２に比して肉薄になっている。このように、ヒンジ部２３が第１及び第２可動部２１，２２に比して厚さが小さく肉薄であることによって、グリップ本体２０全体が同一材料から形成されている場合であっても、ヒンジ部２３において変形させて第１及び第２可動部２１，２２の可動を容易にすることができる。
【００３４】
図４及び図６（ａ）を参照すると、溝５０の両側において横方向Ｘへ延び、溝５０を挟むように位置する一対の隆起部５１，５２を有する。隆起部５１はグリップ本体２０の内面２０Ｂから隆起していて、その厚さ寸法は第１及び第２可動部２１，２２の他の部分の厚さ寸法よりも大きくなっている。具体的には、溝５０の厚さ寸法Ｄ１は、第１及び第２可動部２１，２２の隆起部５１，５２以外の部分の厚さ寸法Ｄ２の０．５〜０．７倍の大きさであり、また、隆起部５１，５２の厚さ寸法Ｄ３は、第１及び第２可動部２１，２２の隆起部５１，５２以外の部分の厚さ寸法Ｄ２の１．１〜１．８倍の大きさを有する。
【００３５】
また、グリップ本体２０は、比較的に太い対象物を把持するための第１把持部６１と、比較的に細い対象物を把持するための第２把持部６２とを有する。すなわち、グリップ本体２０は、その内周面全体に囲まれた空間からなる第１把持部６１と、ヒンジ部２３に位置する溝５０によって形成された第２把持部６２とを有する。
【００３６】
図７を参照すると、装着者が電車に乗車したときに、グリップ１０を装着して電車等の吊り革７を間接的に把持することによって、吊り革７の表面に付着した雑菌やウイルス等が手２に直接付着することはなく、衛生的に利用することができる。特に、近年のＣＯＶＩＤ−１９（新型コロナウイルス）等の流行性が強いウイルスの接触感染を予防するのに極めて効果的である。
【００３７】
また、グリップ本体２０の外面２０Ａに配置された指圧部４０の複数の突起４１が掌のツボに合わせて配置されていることから、ツボが押されて刺激を受けて、マッサージ効果及びツボ刺激効果を発揮することができる。例えば、比較的に長時間、通勤電車の吊り革７を利用するときには、長い時間ツボが刺激されることによって、日中の仕事による疲労や起立した状態で乗車していることによる局所的な筋肉疲労、鬱血、血行不良及びこれに起因する肩こり、倦怠感等の症状を緩和、改善することができる。このように、グリップ１０は、衛生的に対象物を把持するための衛生器具としての側面と、ツボを刺激してより健康を増進することのできる健康器具としての側面との２つの機能的側面を備えるものであるといえる。
【００３８】
装着者がグリップ１０を一方の手に装着した状態で、電車等の吊り革７を把持するときには、吊り革７をヒンジ部２３の溝５０に位置する第２把持部６２に配置される。溝５０の両側には隆起部５１，５２が位置することから、吊り革７を溝５０内において安定して配置することができる。また、図６（ｂ）を参照すると、装着者が手２に比較的に強い力を入れることで第１及び第２可動部２１，２２の先端２１ａ，２２ａどうしが互いに当接してグリップ本体２０が最大限に縮径され、一対の隆起部５１，５２が互いに接近して、吊り革７全体を覆うようにして挟持することができる。このように、吊り革７が隆起部５１，５２によって挟持されることによって、吊り革７をグリップ１０内においてより安定的に把持することができる。
【００３９】
図８及び図６（ｃ）を参照すると、ドアのドアノブ８を把持する場合も、吊り革７を把持する場合と同様に、手を直接にドアノブ８に触れることはないので、ドアノブ８の表面に付着した雑菌やウイルス等が直接手に付着することはなく、衛生的に操作することができる。また、グリップ１０の内周面全体に囲まれた第１把持部６１によってドアノブ８全体を被覆することによって、しっかりとホールドした状態でドアの開閉操作を行うことができる。また、開閉操作に要する時間が比較的に短時間であっても、グリップ本体２０の外面２０Ａに位置する指圧部４０によって掌のツボが刺激されるので、血行改善やストレスの低減等の健康増進効果を得ることができる。
【００４０】
再び、図６（ａ）を参照すると、第１可動部２１の先端２１ａと第２可動部２２の先端２２ａとは、凸曲状を有している。このように、先端２１ａ，２２ａが凸曲状を有していることによって、ドアノブ８等の対象物に摺接しながら互いに離間する方向へ移動するときに、それが角状である場合に比して、スムーズに摺接することができるとともに、対象物の表面を傷付けることはない。
【００４１】
図９を参照すると、装着者は、グリップ１０の突出部分７０によってエレベータのボタン（対象物）９を押すことができる。すなわち、装着者は、グリップ１０を装着した状態において、グリップ１０の第１端縁２０ａ側がボタンと対向するように腕を伸ばすことによって、突出部分７０によって比較的に小さな対象物であるボタン９を押圧することができる。このように、エレベータのボタンを直接的に手で触れることなく操作できるので、衛生的であるといえる。また、かかる場合であっても、押圧操作をするときに、瞬間的にグリップ１０を強く握ることで、指圧部４０によるツボ刺激効果が発揮される。
【００４２】
なお、突出部分７０の先端７０ａは、図示したように、先鋭状ではなく、曲状であることが好ましい。このように、先端７０ａが曲状であることによって、対象物を強く押圧した場合であっても、その表面を滑ったり、傷づけることはない。
【００４３】
図１０（ａ）を参照すると、装着者は、グリップ１０の第１把持部６１によってエスカレーターの手摺り８０を直接触れることなく掴むことができる。図１０（ｂ）を参照すると、装着者は、荷物を入れたビニール袋９０をグリップ１０によって間接的に吊持することもできる。かかる場合には、荷物の自重によって幅狭となったビニール袋９０の手提げ部分が手に食い込むことがない。また、ビニール袋９０の手持ち部分を溝５０の位置する第２把持部６２に位置させることで安定して吊持することができる。
【００４４】
既述のとおり、本願発明に係るグリップ１０は、グリップ本体２０の内周面に囲まれた第１把持部６１と、ヒンジ部２３の内面に位置する第２把持部６２とを含むことから、第１把持部６１においてドアノブ８やエスカレータの手摺り８０等の比較的に大きな（幅広、径寸法が大きな）対象物を間接的かつ安定的に把持できることに加えて、第２把持部６２において吊り革７やビニール袋９０の手提げ部分のような比較的に小さな（幅狭、径寸法の小さな）対処物を間接的かつ安定的に把持することができる。
【００４５】
また、突出部分７０によってタッチパネル等の接触操作するものやエレベータのボタン９のような押圧操作が必要な対象物をも操作することができる。このように、グリップ１０を携帯することによって、日常生活のあらゆる場面において、対象物を直接触れることなく把持・操作することができるので、衛生的に優れる。加えて、それらのあらゆる場面において、指圧部４０によって常時ツボが刺激された状態となることから、マッサージ効果及びツボ刺激効果によって健康増進を図ることができる。
【００４６】
＜実施例＞
図１１は、本発明に係るグリップ１０の実施例の一例における、図２と同様のグリップ１０の側面図である。本実施例に係るグリップ１０の基本的構成は、図１〜図９に示すグリップ１０と同じであるから、相違する点についてのみ以下に悦明する。
【００４７】
本実施例に係るグリップ１０においては、ヒンジ部２３が外面視において、さらに急なカーブ状に大きく湾曲した形状を有する。すなわち、図２に示した態様に比して、曲率が大きな曲状を有することから、指が掛かり易く、よりしっかりと把持することができる。
【００４８】
また、突出部分７０がさらに大きく反って横方向Ｘの外側に突出した形状を有する。突出部分７０かかる形状を有することによって、手を挿し入れ難い狭い空間に位置する対象物であっても、容易に押圧操作を行うことができる。
【００４９】
グリップ１０を構成する部材には、特に明記されていない限りにおいて、本明細書に記載されている材料のほかに、この種の分野において通常用いられている公知の材料を制限なく用いることができる。また、本明細書等においては、装着者が右利きの場合、右手で荷物等を持った状態で左手にグリップ１０を装着して吊り革等を把持することを想定して左手用としているが、右手用又は左右兼用に指圧部４０のツボ４１の位置などを変更してもよい。また、それに合わせて突出部分７０の位置を変更してもよいし、突出部分７０が横方向Ｘの両側から延出した態様であってもよい。
【００５０】
＜第２実施形態＞
図１２〜図１８は、本発明の第２実施形態に係るグリップ１００の一例の各態様を示すものである。なお、第２実施形態に係るグリップ１００に関して、特に異なる構成を有する記載がされている場合を除き、第１実施形態に係るグリップ１０と同様の構成及び技術的効果を奏する。
【００５１】
本発明の第２実施形態に係るグリップ１００の一例として示す、グリップ１００は、互いに交差（直交）縦方向（長手方向）Ａと横方向（短手方向）Ｂと、それらに交差（直交）する厚さ方向Ｚとを有し、対象物を間接的に把持するためのグリップ本体２００と、グリップ本体２００に着脱可能に取り付けられたストラップ３００とを備える。
【００５２】
グリップ本体２００は、シリコン等の軟質材料から形成されて可撓性を有する平らなプレート状からなり、外面（非肌対向面）２００Ａ及び内面（肌対向面）２００Ｂと、縦方向Ｙにおいて互いに対向する第１及び第２端縁２０１，２０２と、横方向Ｘにおいて互いに対向する第１及び第２側縁２０３，２０４とを有する。
【００５３】
グリップ本体２００は、さらに、厚さ方向Ｚにおいて互いに対向する第１及び第２可動部２１０，２２０と、第１及び第２可動部２１０，２２０との間に位置して横方向Ｂへ延びるヒンジ部２３０とを有する。第１及び第２可動部２１０，２２０は、第１及び第２端縁２０１，２０２側の部分が、第１及び第２端縁２０１，２０２に向かうにつれて次第に幅狭となる形状を有している。
【００５４】
図１４，１５に示すように、装着者が一方の手をグリップ本体２００の外面全体を覆うようにグリップ本体２００とストラップ３００との間に差し入れて装着して、グリップ本体２００を丸くなるように握持した状態において、第１及び第２可動部２１０，２２０は、平らな形状から曲状に変形する。
【００５５】
すなわち、第１及び第２可動部２１０，２２０は、ヒンジ部２３０を介して互いに接近・離間する方向へ移動可能なものであって、互いに接近することでグリップ本体２０がプレート状から第１実施形態に係るグリップ本体２０のような断面Ｃ字の筒状に変形する。一方、装着者が手を広げると、第１及び第２可動部２１０，２２０はそれらを曲状に変形させようとする力から解放されて、グリップ本体２００は平らなプレート状の原状に復帰する。
【００５６】
ストラップ３００は、第１及び第２端部３１０，３２０を有し、第１端部３１０と第２端部３２０とは、メカニカルファスナ等の公知の連結手段で連結されている。具体的には、第１及び第２端部３１０，３２０のいずれか一方に配置されたメカニカルファスナのフック（雄部）部をストラップ３００の外面に直接係合させることができ、装着者の手の大きさに合わせてサイズ調整が可能である。
【００５７】
第１端部３１０側には突出部分７００を有するタッチカバー７１０が取り付けられている。また、第２端部３２０側には、装飾要素３８０を有する装飾カバー（カバー）３６０が配置されている。装飾カバー３６０は、その両端に位置する挿通孔にストラップ３００が挿通された状態で取り付けられている。また、図示していないが、ストラップ３００は、長さ調整可能なバックルを有していてもよい。
【００５８】
図１２−図１５を参照すると、グリップ本体２００の内面２００Ｂには、横方向Ｘへ延びていて、縦方向Ｙにおいて互いに間隔を空けて位置する複数条の突起部５４０，５５０が配置されている。突起部５４０，５５０は、第１可動部２１０の内面において縦方向Ｙに互いに間隔を空けて配置された突起部５４０ａ，５４０ｂ，５４０ｃ、５４０ｄと、第２可動部２２０の内面において縦方向に互いに間隔を空けて配置された突起部５５０ａ，５５０ｂ，５５０ｃ，５５０ｄとを有する。
【００５９】
突起部５４０，５５０の長さ寸法（横方向Ｘの寸法）は、それぞれ、第１及び第２可動部２１０，２２０の横方向Ｂの寸法よりも小さく、突起部５４０，５５０の両端は第１及び第２側縁２０１，２０２から離間している。突起部５４０，５５０において、それぞれ、第１及び第２端縁２０１，２０２に沿って延びる突起部５４０ｄ，５５０ｄは、他の突起部５４０ａ−５４０ｃ，５５０ａ−５５０ｃよりも幅広になっている。
【００６０】
グリップ本体２００の外面２００Ａには、突起部５４０ｄ，５５０ｄとグリップ本体２００の厚さ方向において対向するように突起部５４０ｅ，５５０ｅが配置されている。装着状態において、突起部５４０ｅ、５５０ｅは装着者の手に接触して滑り止めとして機能しうる。
【００６１】
ヒンジ部２３０の縦方向Ａの両側には、横方向へ延びる挟持突起（隆起部，壁部）５１０，５２０が位置している。挟持突起５１０，５２０の間には溝５００が位置していて、ストラップ３００は溝５００と対向するようにグリップ本体２００に巻き付けられている。挟持突起５１０、５２０は、段差を有し、第１側縁２０３側の部分が第２側縁２０４側の部分に比べて高くなっていて、より外方へ突出している。
【００６２】
グリップ本体２００は、第１実施形態に係るグリップ１０と同様に、比較的に太い対象物を把持するために第１把持部６１０と、比較的に細い対象物を把持するための第２把持部６２とを有する。すなわち、グリップ本体２０は、その内周面全体に囲まれた空間からなる第１把持部６１０と、ヒンジ部２３０に位置する溝５００によって形成された第２把持部６２０とを有する。
【００６３】
グリップ１００の各構成部材は、公知の材料から形成することができるが、抗菌性を有する材料から形成されていることが好ましい。具体的には、グリップ本体２００は、抗菌性かつ可撓性を有する材料であって、例えば、抗菌効果を有するシリコン材料から形成することができる。タッチラバー７１０及びその先端に位置する突出部分７００は、導電性及び抗菌性の軟質部材、例えば、グラファイト、カーボンブラック、カーボンナノチューブ等の炭素系材料から形成することができる。
【００６４】
また、装飾プレート３６０は、導電性及び抗菌性のプラスチック材料、例えば、ＡＢＳ樹脂、ポリカーボネート樹脂等の硬質プラスチック材料から形成することができる。このように、グリップ１００を構成する部材のうち、ストラップ３００を除くすべての部材が抗菌性を有することから、衛生的にグリップ１００による対象物の把持やタッチ操作が実現できる。
【００６５】
各構成部材に使用される抗菌作用を有する抗菌剤として、例えば銀イオンを担持した銀ゼオライト等の化合物やカテキンやヒノキチオール等の天然抗菌剤等を公的に用いることができる。抗菌剤は材料に塗布してもよいが、抗菌剤を材料に混練することで、グリップ１００全体を洗浄しても抗菌効果が低下することはなく、永続的な抗菌性を発揮することができる。
【００６６】
図１２に示すとおり、タッチラバー７１０とストラップ３００とは、ビス７２０を介して取り付けられている。かかる連結態様を有することによって、ストラップ３００とタッチラバー７１０とは容易に取り外すことができ、装着者の嗜好や気分に合わせて、様々なデザインのストラップ３００を選択して自由に使用することができる。
【００６７】
図１５及び図１６（ａ）を参照すると、グリップ本体２００の第１及び第２可動部２１０，２２０の内面２００Ｂには、複数条の突起部５４０，５５０が配置されていることから、第１把持部６１０において対象物を把持したときに、対象物に突起部５４０，５５０が接触して滑り止めとしての機能を果たしうる。
【００６８】
また、突起部５４０，５５０は肉厚であって、それが形成されていない部分に比べて剛性が高くなっており、突起部５４０，５５０が形成された高剛性部分とそれらが形成されていない低剛性部分とが第１及び第２可動部２１０，２２０において縦方向Ｙへ交互に位置している。突起部５４０，５５０がかかる配置態様を有することによって、それらは装着時に第１及び第２可動部２１０，２２０が曲状をなす変形誘導部分として作用し得る。
【００６９】
図１６（ｂ）及び図１７を参照すると、装着者がグリップ１０を一方の手に装着した状態で、電車等の吊り革７を把持するときには、吊り革７をヒンジ部２３０の溝５００に位置する第２把持部６２０に配置される。溝５００の両側には挟持突起５１０，５２０が位置することから、吊り革７を溝５００内において安定して配置することができる。
【００７０】
また、図１６（ｂ）の仮想線で示された部分を参照すると、装着者が手２に比較的に強い力を入れることで、第１及び第２可動部２１０，２２０の先端２１０ａ，２２０ａどうしがさらに互いに当接するとともに、一対の挟持突起５１０，５２０が互いに接近して、吊り革７全体を覆うようにして挟持することができる。このように、吊り革７が挟持突起５１０，５２０によって挟持されることによって、吊り革７をグリップ１００内においてより安定的に把持することができる。
【００７１】
既述のとおり、挟持突起５１０、５２０は、段差を有し、第１側縁２０３側の部分が第２側縁２０４側の部分に比べて高くなっていて、より外方へ突出している。溝５００に対象物を配置した際に、ストラップ３００のみが位置する第２側縁２０４側よりも肉厚のタッチラバー７１０が位置する第１側縁２０３側の方が対象物との接触面積が小さくなるおそれがあるが、挟持突起５１０、５２０に段差を設けてタッチラバー７１０が位置する第１側縁２０３側を高くすることで、対象物との接触面積を確保して、挟持突起５１０，５２０全体で対象物を安定して挟持することができる。
【００７２】
図１８及び図１６（ｃ）を参照すると、ドアのドアノブ８を把持する場合も、吊り革７を把持する場合と同様に、手を直接にドアノブ８に触れることはないので、ドアノブ８の表面に付着した雑菌やウイルス等が直接手に付着することはなく、衛生的に操作することができる。また、グリップ１００の内周面全体に囲まれた第１把持部６１０によってドアノブ８全体を被覆することによって、しっかりとホールドした状態でドアの開閉操作を行うことができる。また、図１６（ｃ）の仮想線で示された部分を参照すると、装着者が手２に比較的に強い力をいれることで、挟持突起５１０，５２０はドアノブ８の外形に沿うように倒伏した状態になり、起立状態に比べて接触面積が大きくなることから、より安定的に把持することができるといえる。
【００７３】
図示していないが、図９に示した第１実施形態に係るグリップ１０と同様に、タッチカバー７１０の先端に位置する突出部分７００によって、エレベータのボタン９等をタッチ操作することができる。突出部分７００は、導電性カーボン材料から形成されることによって、タブレット機器に使用される導電性タッチペン等と同様に使用することができ、タブレット機器、スマートフォン、銀行のＡＴＭ機，発券機、自動販売機等の各種スイッチボタン、液晶画面のタッチ操作を衛生的に行うことができる。
【００７４】
装飾プレート３６０の装飾要素３８０は、装飾プレート３６０の直接印刷するほかに、抗菌性シールを貼付することで配置してもよい。第１実施形態と異なり、第２実施形態に係るグリップ本体２００は平らなプレート状であるから、携帯性に優れ、例えば、衣服のポケットに簡単に収納することができる。
【００７５】
図１９は、第２実施形態に係るグリップ１００の他の装着態様を示すものであって、かかる装着態様では、装飾プレート３６０を装着者の手首の内側に当接されて、手の甲側にプレート本体２００の外面２００Ａが当接される。このように装着することによって、装着者の手はフリーな状態となるので、グリップ１００を装着した状態であっても荷物を持ったり、両手を使用した作業を容易に行うことができる。
【符号の説明】
【００７６】
１０，１００  携帯用のグリップ
２０，２００    グリップ本体
２０Ａ，２００Ａ    グリップ本体の外面
２１，２１０    第１可動部
２２，２２０  第２可動部
２３，２３０  ヒンジ部
３６，３６０    カバー
３８，３８０    装飾要素
５０，５００    溝
６１，６１０  第１把持部
６２，６２０  第２把持部
７０，７００  突出部分
Ａ，Ｘ    横方向
Ｚ    厚さ方向
【図１】
2022000364.tif 000003
【図２】
2022000364.tif 000004
【図３】
2022000364.tif 000005
【図４】
2022000364.tif 000006
【図５】
2022000364.tif 000007
【図６】
2022000364.tif 000008
【図７】
2022000364.tif 000009
【図８】
2022000364.tif 000010
【図９】
2022000364.tif 000011
【図１０】
2022000364.tif 000012
【図１１】
2022000364.tif 000013
【図１２】
2022000364.tif 000014
【図１３】
2022000364.tif 000015
【図１４】
2022000364.tif 000016
【図１５】
2022000364.tif 000017
【図１６】
2022000364.tif 000018
【図１７】
2022000364.tif 000019
【図１８】
2022000364.tif 000020
【図１９】
2022000364.tif 000021